(57)【要約】【課題】配線時の配線孔周りの外観が良好で、かつカバーの紛失のおそれもない配線孔カバー装置を提供する。【解決手段】カバー１６を、固定枠７に着脱自在に取り付けるとともに、配線開口部８を閉塞する閉塞姿勢と、配線開口部８を開放し得るように固定枠７に吊り下げられる吊り下げ姿勢とに変位可能とする。  【選択図】図５
2006136588.tif 000002
【特許請求の範囲】
【請求項１】
天板の後縁部に設けられ、かつ後方に向けて開放する切欠部に、後方に向けて開放する切欠き状の配線開口部を有する固定枠を取り付けるとともに、該固定枠に、前記配線開口部を閉塞可能なカバーを取り付けた配線カバー装置において、
前記カバーを、前記固定枠に着脱自在に取り付けるとともに、前記配線開口部を閉塞する閉塞姿勢と、前記配線開口部を開放し得るように前記固定枠に吊り下げられる吊り下げ姿勢とに変位可能としたことを特徴とする配線孔カバー装置。
【請求項２】
カバーは、吊り下げ姿勢にあるとき、配線開口部の後方に向けて開放する開放部分を仕切るようにしたことを特徴とする請求項１記載の配線孔カバー装置。
【請求項３】
カバーが吊り下げ姿勢にあるとき、前記カバーの上方を向く面が固定枠の表面と平坦になるようにしたことを特徴とする請求項１または２記載の配線孔カバー装置。
【請求項４】
固定枠における配線開口部の開口縁に、カバーの前部下面が当接し、該カバーを閉塞姿勢に保持し得るように、ほぼ水平方向に突出する水平支持片を設け、該水平支持片の後方に、前記カバーの後部下面が当接し、前記カバーを閉塞姿勢に保持可能な左右の垂直支持片を設けるとともに、前記カバーの後部に、該垂直支持片に係止されることにより、前記カバーを吊り下げ姿勢に支持可能なＬ字状の引掛部を設けたことを特徴とする請求項１〜３のいずれかに記載の配線孔カバー装置。
【請求項５】
水平支持片の上面と、垂直支持片の上端部とを同一高さとしたことを特徴とする請求項４記載の配線孔カバー装置。
【請求項６】
カバーの左右両側端部に下向きの係合片を設けるとともに、該係合片または前記係合片に対向する固定枠の左右両内側面のいずれか一方に係合凸部、他方に前記カバーが閉塞姿勢にあるとき、弾性力をもって、前記係合凸部に対して係脱可能な係止孔を設けたことを特徴とする請求項１〜５のいずれかに記載の配線孔カバー装置。
【請求項７】
カバーの前部下面に、該カバーが閉塞姿勢にあるとき、固定枠の前側下部に係合可能な係合部を設けたことを特徴とする請求項１〜６のいずれかに記載の配線孔カバー装置。
【請求項８】
カバーが吊り下げ姿勢にあるとき、前記カバーの引掛部が、垂直支持片の前面に当接し、また前記カバーの係止片が、前記垂直支持片の後面に当接するようにしたことを特徴とする請求項６または請求項６に従属する請求項７に記載の配線孔カバー装置。
【請求項９】
カバーに、該カバーが吊り下げ姿勢にあるとき、左右方向を向く電線を載置可能な載置片を設けたことを特徴とする請求項１〜８のいずれかに記載の配線孔カバー装置。
【発明の詳細な説明】
【技術分野】
【０００１】
本発明は、オフィス等で使用されるテーブル、デスク等の什器の天板に設けられた配線孔を閉塞する配線孔カバー装置に関する。
【背景技術】
【０００２】
従来、オフィス等で使用される机、テーブル等の什器においては、天板上に電子機器を載置して使用することが多い。そのため、天板に配線孔を開口し、この配線孔から床面や横送りで配線するとともに、配線の不使用時には、この配線孔を閉塞して外から配線部分が見えないようにするための配線孔カバー装置が設けられたものがある（例えば特許文献１参照）。
【特許文献１】特開平１１−１２７９７７号公報
【発明の開示】
【発明が解決しようとする課題】
【０００３】
しかし、上記特許文献１に記載されているような、従来の配線孔カバー装置は、配線する際はカバーを外して配線孔を開口するが、その際、外したカバーを保管しておく必要があるため、手間がかかるとともに、カバーを紛失するおそれがある。また、配線孔は後方に開放した状態となるため、見栄えがよくないばかりでなく、配線が配線孔から後方にはみ出て、さらに美観を損なうおそれがある。
【０００４】
本発明は、上記問題点に鑑みてなされたもので、配線時の配線孔周りの外観が良好で、かつカバーの紛失のおそれもない配線孔カバー装置を提供することを目的としている。
【課題を解決するための手段】
【０００５】
本発明によると、上記課題は、次のようにして解決される。
（１）天板の後縁部に設けられ、かつ後方に向けて開放する切欠部に、後方に向けて開放する切欠き状の配線開口部を有する固定枠を取り付けるとともに、該固定枠に、前記配線開口部を閉塞可能なカバーを取り付けた配線カバー装置において、前記カバーを、前記固定枠に着脱自在に取り付けるとともに、前記配線開口部を閉塞する閉塞姿勢と、前記配線開口部を開放し得るように前記固定枠に吊り下げられる吊り下げ姿勢とに変位可能とする。
【０００６】
（２）上記(１)項において、カバーは、吊り下げ姿勢にあるとき、配線開口部の後方に向けて開放する開放部分を仕切るようにする。
【０００７】
（３）上記(１)または(２)項において、カバーが吊り下げ姿勢にあるとき、前記カバーの上方を向く面が固定枠の表面と平坦になるようにする。
【０００８】
（４）上記(１)〜(３)項のいずれかにおいて、固定枠における配線開口部の開口縁に、カバーの前部下面が当接し、該カバーを閉塞姿勢に保持し得るように、ほぼ水平方向に突出する水平支持片を設け、該水平支持片の後方に、前記カバーの後部下面が当接し、前記カバーを閉塞姿勢に保持可能な左右の垂直支持片を設けるとともに、前記カバーの後部に、該垂直支持片に係止されることにより、前記カバーを吊り下げ姿勢に支持可能なＬ字状の引掛部を設ける。
【０００９】
（５）上記(４)項において、水平支持片の上面と、垂直支持片の上端部とを同一高さとする。
【００１０】
（６）上記(１)〜(５)項のいずれかにおいて、カバーの左右両側端部に下向きの係合片を設けるとともに、該係合片または前記係合片に対向する固定枠の左右両内側面のいずれか一方に係合凸部、他方に前記カバーが閉塞姿勢にあるとき、弾性力をもって、前記係合凸部に対して係脱可能な係止孔を設ける。
【００１１】
（７）上記(１)〜(６)項のいずれかにおいて、カバーの前部下面に、該カバーが閉塞姿勢にあるとき、固定枠の前側下部に係合可能な係合部を設ける。
【００１２】
（８）上記(６)または上記(６)項に従属する上記(７)項において、カバーが吊り下げ姿勢にあるとき、前記カバーの引掛部が、垂直支持片の前面に当接し、また前記カバーの係止片が、前記垂直支持片の後面に当接するようにする。
【００１３】
（９）上記(１)〜(８)項のいずれかにおいて、カバーに、該カバーが吊り下げ姿勢にあるとき、左右方向を向く電線を載置可能な載置片を設ける。
【発明の効果】
【００１４】
（ａ）請求項１記載の発明によると、カバーを、固定枠に着脱自在に取り付けるとともに、配線開口部を閉塞する閉塞姿勢と、配線開口部を開放し得るように固定枠に吊り下げられる吊り下げ姿勢とに変位可能としたことにより、配線開口部周りの外観を良好にして、配線時に固定枠から離脱させたカバーを、別の場所に保管しておく必要がないため、紛失のおそれがなくなる。
【００１５】
（ｂ）請求項２記載の発明によると、配線時に固定枠から離脱させたカバーを、固定枠の開放部分を仕切るように吊り下げ姿勢に変位させることができるので、見栄えがよくなるとともに、配線が配線開口部から天板の後方に妄りにはみ出すことがなく、体裁よく配線を行うことができる。
【００１６】
（ｃ）請求項３記載の発明によると、カバーが吊り下げ姿勢にあるとき、カバーの上方を向く面が固定枠の表面と平坦になるため、より体裁良く配線を行うことができる。
【００１７】
（ｄ）請求項４記載の発明によると、固定枠の水平支持片及び垂直支持片に、カバーを載置することにより、カバーを配線開口部を閉塞する閉塞姿勢に安定して支持することができ、また、垂直支持片に、カバーの引掛部を引掛けることにより、カバーを吊り下げ姿勢に支持することができる。
【００１８】
（ｅ）請求項５記載の発明によると、水平支持片の上面と、垂直支持片の上端部とを同一高さとしたことにより、カバーを閉塞姿勢により安定して支持することができる。
【００１９】
（ｆ）請求項６記載の発明によると、係合凸部と係合孔との弾性係合により、カバーを固定枠に対してがた付き無く閉塞姿勢に保持することができ、また、カバーを固定枠から簡単に外すことができる。
【００２０】
（ｇ）請求項７記載の発明によると、カバーの係合部と固定枠の前側下部との係合により、カバー前部の上方への動きを止めることができ、カバーをより安定して閉塞姿勢に保持することができる。
【００２１】
（ｈ）請求項８記載の発明によると、カバーが吊り下げ姿勢にあるとき、カバーの引掛部が、垂直支持片の前面に当接し、またカバーの係合片が、垂直支持片の後面に当接するようにしたことにより、カバーを安定して吊り下げ姿勢に保持することができる。
【００２２】
（ｉ）請求項９記載の発明によると、カバーが吊り下げ姿勢にあるとき、カバーの載置片に左右方向の電線を載置することにより、電線を整然と配線することができる。
【発明を実施するための最良の形態】
【００２３】
以下、本発明の一実施形態を、添付図面を参照して説明する。
図１は、本発明の配線孔カバー装置を適用した机の斜視図、図２は、配線孔カバー装置の平面図、図３は、配線孔カバー装置の分解平面図、図４は、配線孔カバー装置の作用を示す図２におけるIV−IV線に沿う縦断側面図、図５は、配線孔カバー装置の作用を示す斜視図である。なお、以下の説明では、図１における左斜め上方、図２、３における左方を「前方」、図１における右斜め下方、図２、３における右方を「後方」とする。
【００２４】
図１に示すように、テーブル(１)は、左右のＬ字形の脚部(２)上に上部フレーム(３)が設けられ、この上部フレーム(３)上に天板(４)が取り付けられたものである。天板(４)の後部には、後述の配線孔カバー装置(５)が設けられている。
【００２５】
配線孔カバー装置(５)は、天板(４)に取り付けられた固定枠(７)にカバー(16)が着脱可能に取り付けられたものである。
【００２６】
天板(４)の後縁部には、後方に向けて開放した後広がりの切欠部(６)が形成され、この切欠部(６)には、後方に向けて開放する切欠き状の配線開口部(８)を有する平面視ほぼコ字状の固定枠(７)が取り付けられている。
【００２７】
固定枠(７)は、合成樹脂製で形成されるとともに、上面が天板(４)の表面とほぼ平坦になるように、天板(４)の切欠部(６)に嵌合される枠部(９)と、この枠部(９)の内側面、すなわち配線開口部(８)の開口縁に設けられ、配線開口部(８)の開口幅を狭めるように、ほぼ水平方向へ突出する水平支持片(10)(10)と、この水平支持片(10)(10)の後方における枠部(９)の開放寄り、すなわち後部の両側に設けられ、上下方向に向く左右の垂直支持片(11)(11)とを有している。なお、水平支持片(10)の上面と、垂直支持片(11)の上端部とは、同一高さになるように設定されている。
【００２８】
固定枠(７)は、枠部(９)を天板(４)上における切欠部(６)の周縁に当接させた状態で、枠部(９)の外側面を切欠部(６)の開口縁に密接状態で嵌合させて取り付けられている。水平支持片(10)と垂直支持片(11)の間には、下向きＵ字状の切溝(12)により左右方向に弾性力を有する左右の弾性片(13)が設けられ、この弾性片(13)の上端部には、弧状面をなす係合凸部(14)が形成されている。また、枠部(９)の前部下面には、前方に凹んだ係合溝(15)が形成されている。
【００２９】
カバー(16)は、金属製で形成され、固定枠(７)に着脱自在に取り付けられるとともに、固定枠(７)の配線開口部(８)を閉塞する閉塞姿勢（主に図４(ａ)及び図５(ａ)参照）と、配線開口部(８)を開放し得るように固定枠(７)に吊り下げられる吊り下げ姿勢（図４(ｃ)及び図５(ｄ)参照）とに変位可能であるとともに、カバー本体(17)と、カバー本体(17)の裏面（下面）に固着された金属製の受け板(18)とを有している。
【００３０】
カバー本体(17)は、固定枠(７)の配線開口部(８)を閉塞し得るように、平面が固定枠(７)の配線開口部(８)と補形をなす形状のもので、後端部には、下向き折曲部(17a)及びこの下向き折曲部(17a)の下端から前方に向く前向き折曲部(17b)とからなる側面視Ｌ字状の引掛部(17A)が形成されている。
【００３１】
受け板(18)は、平面視ほぼＴ字状の横板部(18a)を有し、横板部(18a)の後端部には、カバー(16)の下向き折曲部(17a)の内面に密着する下向き折曲部(18b)が形成され、また、固定枠(７)の左右の係合凸部(14)に対向する両側端部には、係合凸部(14)に係脱可能な係止孔(19)（または凹部）を有する係止片(20)が下向きに形成されている。また、受け板(18)の前端部には、下向き折曲部(18c)及び下向き折曲部(18c)の下端に形成され、固定枠(７)の係合溝(15)に係脱可能な前向きの係合部(18d)が形成されている。
【００３２】
図２、図４(ａ)及び図５(ａ)に示すように、カバー(16)は、水平支持片(10)上及び垂直支持片(11)上に載置されるとともに、係合凸部(14)に係止片(20)の係止孔(19)が弾性係合して、固定枠(７)の配線開口部(８)を閉塞する閉塞姿勢に支持されている。また、カバー(16)の係合部(18d)は、固定枠(７)の係合溝(15)に係合し、カバー(16)前部の上方への動きを止めている。
【００３３】
図４(ｂ)及び図５(ｂ)に示すように、カバー(16)の後部を手で持ち上げると、係合凸部(14)と係止孔(19)、及び係合片(18d)と係合溝(15)とのそれぞれの係合が外れ、カバー(16)を固定枠(７)から取り外して配線開口部(８)を開放することができる。
【００３４】
配線開口部(８)に電線(23)を通した後、図５(ｃ)に示すように、カバー(16)を裏返しにし、この状態でカバー(16)を降ろし、図４(ｃ)及び図５(ｄ)に示すように、垂直支持片(11)上にカバー(16)の引掛部(17A)を引掛けることにより、カバー(16)は、配線開口部(８)の後方に向けて開放する開放部分を仕切るように配線開口部(８)を開放し、固定枠(７)に吊り下げられた吊り下げ姿勢に支持される。なお、カバー(16)が吊り下げ姿勢にある場合には、カバー(16)の上方を向く面、すなわち、下向き折曲部(17a)の表面は、固定枠(７)の枠部(９)の表面と平坦になるようになっている。
【００３５】
カバー(16)が吊り下げ姿勢に支持された状態においては、カバー(16)の引掛部(17A)の後面は垂直支持片(11)の前面に当接し、またカバー(16)の係合片(20)の前縁は垂直支持片(11)の後面に当接する。すなわち、引掛部(17A)と係合片(20)との間に垂直支持片(11)が挟み込まれた状態で、カバー(16)は、前後に振れることがないように、吊り下げ姿勢に支持される。
【００３６】
また、カバー(16)を吊り下げ姿勢とすることにより、配線開口部(８)の後方に向けて開放する開放部分は、カバー(16)により仕切られた状態となるため、電線(23)が妄りに配線開口部(８)から天板(４)の後方にはみ出すことがなく、体裁よく配線を行うことができる。また、カバー(16)を吊り下げ姿勢に変位させたとき、カバー(16)の下向き折曲部(18c)は、左右方向を向く電線(23a)を載せることができる載置片となり、配線が下方にたるむのを防止することができる。
【００３７】
以上のように、カバー(16)を、固定枠(７)に着脱自在に取り付けるとともに、固定枠(７)の配線開口部(８)を閉塞する閉塞姿勢と、配線開口部(８)を開放し得るように固定枠(７)に吊り下げられる吊り下げ姿勢とに変位可能としたことにより、配線時に固定枠(７)から離脱させたカバー(16)を、別の場所に保管しておく必要がないため、紛失のおそれがなくなる。
【００３８】
以上、本発明の実施形態について説明したが、本発明の要旨を逸脱しない範囲内で、本実施形態に対して、次のような種々の変形や変更を施すことが可能である。
（ｉ）係合部(18d)及び係止片(20)をカバー(16)に直接設ける。
（ii）係合凸部(14)をカバー(16)に設け、また、係止孔(19)を固定枠(７)に設ける。
【図面の簡単な説明】
【００３９】
【図１】本発明の配線孔カバー装置を適用したテーブルの斜視図である。
【図２】同じく、配線孔カバー装置の一実施形態を示す平面図である。
【図３】同じく、分解平面図である。
【図４】同じく、配線孔カバー装置の作用を示す図２におけるIV−IV線に沿う縦断側面図である。
【図５】同じく、配線孔カバー装置の作用を示す斜視図である。
【符号の説明】
【００４０】
(１)テーブル
(２)脚部
(３)上部フレーム
(４)天板
(５)配線孔カバー装置
(６)切欠部
(７)固定枠
(８)配線開口部
(９)枠部
(10)水平支持片
(11)垂直支持片
(12)切溝
(13)弾性片
(14)係合凸部
(15)係合溝
(16)カバー
(17)カバー本体
(17a)下向き折曲部
(17b)前向き折曲部
(17A)引掛部
(18)受け板
(18a)横板部
(18b)下向き折曲部
(18c)下向き折曲部（載置片）
(18d)係合部
(19)係止孔
(20)係止片
(23)電線
(23a)電線
【図１】
2006136588.tif 000003
【図２】
2006136588.tif 000004
【図３】
2006136588.tif 000005
【図４】
2006136588.tif 000006
【図５】
2006136588.tif 000007